(57)【要約】【課題】  反射型の電子表示媒体に表示された画像の視認性について、照度の異なる広い範囲の照明環境における視認性を客観的に評価することのできる電子表示媒体の評価方法の提供。【解決手段】  電子表示媒体の評価方法は、反射型の電子表示媒体上に表示された少なくとも２種の反射率の異なる画像について、照明した状態において分光吸収分布を測色し、得られた分光吸収分布に基づいて各画像に係る反射率を演算し、演算により得られた各画像に係る反射率の比によるコントラストを算出するコントラスト算出処理を、  前記照明による電子表示媒体上の画像における照度が１０〜２０００ルクスの範囲のうち互いに異なる照度となるよう複数回行い、各回に算出されたコントラストによって前記電子表示媒体に表示された画像の視認性を評価することを特徴とする。【選択図】  図１
2010261848.tif 000002
【特許請求の範囲】
【請求項１】
反射型の電子表示媒体上に表示された少なくとも２種の反射率の異なる画像について、照明した状態において分光吸収分布を測色し、得られた分光吸収分布に基づいて各画像に係る反射率を演算し、演算により得られた各画像に係る反射率の比によるコントラストを算出するコントラスト算出処理を、
前記照明による電子表示媒体上の画像における照度が１０〜２０００ルクスの範囲のうち互いに異なる照度となるよう複数回行い、各回に算出されたコントラストによって前記電子表示媒体に表示された画像の視認性を評価することを特徴とする電子表示媒体の評価方法。
【請求項２】
前記コントラスト算出処理を前記照明による電子表示媒体上の画像における照度が１０〜２０００ルクスの範囲のうち互いに異なる照度となるよう複数回行う複数コントラスト算出処理を、
前記電子表示媒体上の画像を照明するための光源として、互いに異なる色温度のものを用いて複数回行い、各回に算出されたコントラストによって前記電子表示媒体に表示された画像の視認性を評価することを特徴とする請求項１に記載の電子表示媒体の評価方法。
【請求項３】
前記光源が、１９００Ｋ〜８０００Ｋの範囲の色温度のものであることを特徴とする請求項２に記載の電子表示媒体の評価方法。
【請求項４】
前記コントラスト算出処理を前記照明による電子表示媒体上の画像における照度が１０〜２０００ルクスの範囲のうち互いに異なる照度となるよう複数回行う複数コントラスト算出処理を、
分光吸収分布を測色するための電子表示媒体からの反射光と当該電子表示媒体とのなす角度が、１５度〜９０度の範囲のうち互いに異なる角度となるよう複数回行い、各回に算出されたコントラストによって前記電子表示媒体に表示された画像の視認性を評価することを特徴とする請求項１〜請求項３のいずれかに記載の電子表示媒体の評価方法。
【請求項５】
前記少なくとも２種の反射率の異なる画像のうちの一つが、前記電子表示媒体によって表示することのできる最低の反射率を有する画像、または、最高の反射率を有する画像であることを特徴とする請求項１〜請求項４のいずれかに記載の電子表示媒体の評価方法。
【請求項６】
前記演算により得られる反射率が、波長に対して積算して算出された積算反射率であることを特徴とする請求項１〜請求項５のいずれかに記載の電子表示媒体の評価方法。
【請求項７】
反射型の電子表示媒体上に表示された少なくとも２種の濃度の異なる画像について、照明した状態において分光吸収分布を測色し、得られた分光吸収分布に基づいて各画像に係る濃度を演算し、演算により得られた各濃度の比によるコントラストを算出するコントラスト算出処理を、
前記照明による電子表示媒体上の画像における照度が１０〜２０００ルクスの範囲のうちの互いに異なる複数照度について行い、各照度に係る算出されたコントラストによって前記電子表示媒体に表示された画像の視認性を評価することを特徴とする電子表示媒体の評価方法。
【請求項８】
前記コントラスト算出処理を前記照明による電子表示媒体上の画像における照度が１０〜２０００ルクスの範囲のうち互いに異なる照度となるよう複数回行う複数コントラスト算出処理を、
前記電子表示媒体上の画像を照明するための光源として、互いに異なる色温度のものを用いて複数回行い、各回に算出されたコントラストによって前記電子表示媒体に表示された画像の視認性を評価することを特徴とする請求項７に記載の電子表示媒体の評価方法。
【請求項９】
前記光源が、１９００Ｋ〜８０００Ｋの範囲の色温度のものであることを特徴とする請求項８に記載の電子表示媒体の評価方法。
【請求項１０】
前記コントラスト算出処理を前記照明による電子表示媒体上の画像における照度が１０〜２０００ルクスの範囲のうち互いに異なる照度となるよう複数回行う複数コントラスト算出処理を、
分光吸収分布を測色するための電子表示媒体からの反射光と当該電子表示媒体とのなす角度が、１５度〜９０度の範囲のうち互いに異なる角度となるよう複数回行い、各回に算出されたコントラストによって前記電子表示媒体に表示された画像の視認性を評価することを特徴とする請求項７〜請求項９のいずれかに記載の電子表示媒体の評価方法。
【請求項１１】
前記少なくとも２種の濃度の異なる画像のうちの一つが、前記電子表示媒体によって表示することのできる最低の濃度を有する画像、または、最高の濃度を有する画像であることを特徴とする請求項７〜請求項１０のいずれかに記載の電子表示媒体の評価方法。
【請求項１２】
前記演算により得られる濃度が、波長に対して積算して算出された積算濃度であることを特徴とする請求項７〜請求項１１のいずれかに記載の電子表示媒体の評価方法。
【請求項１３】
前記電子表示媒体が、白色表示を行うことができる電子ペーパーであることを特徴とする請求項１〜請求項１２のいずれかに記載の電子表示媒体の評価方法。
【発明の詳細な説明】
【技術分野】
【０００１】
本発明は、反射型の電子表示媒体に表示された画像の視認性を評価するための電子表示媒体の評価方法に関する。
【背景技術】
【０００２】
近年、地球温暖化に伴い、低消費電力の表示デバイスが求められている。その中で、発光部材を用いないメモリ性のある反射型の電子表示媒体である電子ペーパーは、電子書籍端末や携帯電話の表示パネル、電子棚札などいろいろな場所で使用され始めてきている。
【０００３】
このような反射型の電子表示媒体は、持ち運びに便利であり、保存性が良好であるなどのハードコピーの特長を持ちながら、ソフトコピーの特長、すなわち同一の表示画面において繰り返し書き換えが可能であり、デジタル情報との統合性を有し、さらに画像保持のための電力を要さないために省エネルギー化が図られるという特長を併せ持ち、理想的な媒体とも言える。
また、このような反射型の電子表示媒体は、紙などに印刷されたハードコピーと同様に、ユーザーが好む場所で自由な姿勢で見ることができ、加えて、発光型の電子表示媒体とは異なり長時間見続けたとしても視覚的な疲労が少なく、ユーザーにとって精神的および肉体的に優しい表示媒体である。
【０００４】
一方、家庭やオフィスにおいて、電子表示媒体を見る機会が非常に増えており、その中で動画の表示が可能である液晶ディスプレイ（ＬＣＤ）がＶＤＴ（Ｖｉｓｕａｌ  Ｄｉｓｐｌａｙ  Ｔｅｒｍｉｎａｌ）作業の視覚インターフェースとして多用されるようになってきたことから、ＬＣＤに対する人間工学的な評価が進められている。
例えば、反射型のＬＣＤについて、実際のオフィス環境を想定した照明条件下における当該反射型のＬＣＤ上の文字の視認性や文章の可読性に関する主観的な許容限界を、明度指数とコントラストとの関係から明らかにする研究がなされている（例えば、非特許文献１参照。）。
【０００５】
また、人の肌に付ける化粧品や車の外装など、様々な角度からどのように見えるのかを客観的に評価するために、測定角度が可変である分光測色計で反射率を測定することが提案されている（例えば、特許文献１および２参照。）。
さらに、反射型の電子表示媒体においても、観察角度の変化に伴う見え方の違いについての検討がなされ、反射率で表現されたコントラストについて好ましい値が提案されている（例えば、特許文献３参照。）。
【０００６】
しかしながら、上記のコントラストについての好ましい値の提案は、当該反射型の電子表示媒体が限定された特定の環境における評価でしかなく、照明環境、例えば照明の色温度、照度などが変化した場合の評価としては十分ではなかった。
【先行技術文献】
【特許文献】
【０００７】
【特許文献１】特許３０９５５２５号公報
【特許文献２】特開２００７−２９１０６６号公報
【特許文献３】特開２００５−１１４８２１号公報
【非特許文献】
【０００８】
【非特許文献１】テレビジョン学会誌、５０（８）１０９１−１０９５（１９９６）
【発明の概要】
【発明が解決しようとする課題】
【０００９】
本発明は、以上のような事情に基づいてなされたものであって、その目的は、反射型の電子表示媒体に表示された画像の視認性について、照度の異なる広い範囲の照明環境における視認性を客観的に評価することのできる電子表示媒体の評価方法を提供することにある。
【課題を解決するための手段】
【００１０】
本発明の電子表示媒体の評価方法は、反射型の電子表示媒体上に表示された少なくとも２種の反射率の異なる画像について、照明した状態において分光吸収分布を測色し、得られた分光吸収分布に基づいて各画像に係る反射率を演算し、演算により得られた各画像に係る反射率の比によるコントラストを算出するコントラスト算出処理を、
前記照明による電子表示媒体上の画像における照度が１０〜２０００ルクスの範囲のうち互いに異なる照度となるよう複数回行い、各回に算出されたコントラストによって前記電子表示媒体に表示された画像の視認性を評価することを特徴とする。
【００１１】
本発明の電子表示媒体の評価方法においては、前記コントラスト算出処理を前記照明による電子表示媒体上の画像における照度が１０〜２０００ルクスの範囲のうち互いに異なる照度となるよう複数回行う複数コントラスト算出処理を、
前記電子表示媒体上の画像を照明するための光源として、互いに異なる色温度のものを用いて複数回行い、各回に算出されたコントラストによって前記電子表示媒体に表示された画像の視認性を評価する構成とすることができる。
【００１２】
また、本発明の電子表示媒体の評価方法においては、前記光源が、１９００Ｋ〜８０００Ｋの範囲の色温度のものであることが好ましい。
【００１３】
また、本発明の電子表示媒体の評価方法においては、前記コントラスト算出処理を前記照明による電子表示媒体上の画像における照度が１０〜２０００ルクスの範囲のうち互いに異なる照度となるよう複数回行う複数コントラスト算出処理を、
分光吸収分布を測色するための電子表示媒体からの反射光と当該電子表示媒体とのなす角度が、１５度〜９０度の範囲のうち互いに異なる角度となるよう複数回行い、各回に算出されたコントラストによって前記電子表示媒体に表示された画像の視認性を評価する構成とすることができる。
【００１４】
また、本発明の電子表示媒体の評価方法においては、前記少なくとも２種の反射率の異なる画像のうちの一つが、前記電子表示媒体によって表示することのできる最低の反射率を有する画像、または、最高の反射率を有する画像であることが好ましい。
【００１５】
また、本発明の電子表示媒体の評価方法においては、前記演算により得られる反射率が、波長に対して積算して算出された積算反射率であることが好ましい。
【００１６】
本発明の電子表示媒体の評価方法は、反射型の電子表示媒体上に表示された少なくとも２種の濃度の異なる画像について、照明した状態において分光吸収分布を測色し、得られた分光吸収分布に基づいて各画像に係る濃度を演算し、演算により得られた各濃度の比によるコントラストを算出するコントラスト算出処理を、
前記照明による電子表示媒体上の画像における照度が１０〜２０００ルクスの範囲のうちの互いに異なる複数照度について行い、各照度に係る算出されたコントラストによって前記電子表示媒体に表示された画像の視認性を評価することを特徴とする。
【００１７】
本発明の電子表示媒体の評価方法においては、前記コントラスト算出処理を前記照明による電子表示媒体上の画像における照度が１０〜２０００ルクスの範囲のうち互いに異なる照度となるよう複数回行う複数コントラスト算出処理を、
前記電子表示媒体上の画像を照明するための光源として、互いに異なる色温度のものを用いて複数回行い、各回に算出されたコントラストによって前記電子表示媒体に表示された画像の視認性を評価する構成とすることができる。
【００１８】
また、本発明の電子表示媒体の評価方法においては、前記光源が、１９００Ｋ〜８０００Ｋの範囲の色温度のものであることが好ましい。
【００１９】
また、本発明の電子表示媒体の評価方法においては、前記コントラスト算出処理を前記照明による電子表示媒体上の画像における照度が１０〜２０００ルクスの範囲のうち互いに異なる照度となるよう複数回行う複数コントラスト算出処理を、
分光吸収分布を測色するための電子表示媒体からの反射光と当該電子表示媒体とのなす角度が、１５度〜９０度の範囲のうち互いに異なる角度となるよう複数回行い、各回に算出されたコントラストによって前記電子表示媒体に表示された画像の視認性を評価する構成とすることができる。
【００２０】
また、本発明の電子表示媒体の評価方法においては、前記少なくとも２種の濃度の異なる画像のうちの一つが、前記電子表示媒体によって表示することのできる最低の濃度を有する画像、または、最高の濃度を有する画像であることが好ましい。
【００２１】
また、本発明の電子表示媒体の評価方法においては、前記演算により得られる濃度が、波長に対して積算して算出された積算濃度であることが好ましい。
【００２２】
さらに、本発明の電子表示媒体の評価方法においては、前記電子表示媒体が、白色表示を行うことができる電子ペーパーとすることができる。
【発明の効果】
【００２３】
本発明の電子表示媒体の評価方法によれば、コントラスト算出処理を、互いに異なる照度に係る照明環境について複数回行うために、広い照度範囲の照明環境における視認性を評価することができ、従って、実用に即した視認性を客観的に評価することができる。
【図面の簡単な説明】
【００２４】
【図１】本発明の電子表示媒体の評価方法の一例における視認性の評価のフローチャートである。
【図２】図１の評価方法におけるコントラストの算出に係るフローチャートである。
【図３】図１の評価方法における積算反射率の演算に係るフローチャートである。
【図４】本発明の電子表示媒体の評価方法に用いる分光測色計の構成例を示す模式図である。
【図５】反射型の電子表示媒体における測色領域を示す模式図である。
【図６】（ａ）は本発明の電子表示媒体の評価方法に用いる分光測色計の照度調整機構が光透過率変更フィルタ群よりなる構成例を示す模式図であり、（ｂ）は光透過率変更フィルタ群の平面図である。
【図７】図１の評価方法の変形例であって、複数の反射角で測色して行う例に係る視認性の評価のフローチャートである。
【図８】本発明の電子表示媒体の評価方法に用いる分光測色計について、分光測色手段が、分光測色器が複数設けられてなる構成例を示す模式図である。
【図９】図１の評価方法の変形例であって、複数の光源を使用して行う例に係る視認性の評価のフローチャートである。
【図１０】本発明の電子表示媒体の評価方法の別の一例における視認性の評価のフローチャートである。
【図１１】図１０の評価方法におけるコントラストの算出に係るフローチャートである。
【図１２】図１０の評価方法における積算濃度の演算に係るフローチャートである。
【図１３】図１０の評価方法の変形例であって、複数の反射角で測色して行う例に係る視認性の評価のフローチャートである。
【図１４】図１０の評価方法の変形例であって、複数の光源を使用して行う例に係る視認性の評価のフローチャートである。
【発明を実施するための形態】
【００２５】
以下、本発明について詳細に説明する。
【００２６】
＜第１の実施の形態＞
本発明の電子表示媒体の評価方法の第１の例は、反射型の電子表示媒体（以下、「反射型電子表示媒体」ともいう。）上に表示された少なくとも２種の反射率の異なる画像について、照明した状態において分光吸収分布を測色し、得られた分光吸収分布に基づいて各画像に係る反射率を演算し、演算により得られた各画像に係る反射率の比によるコントラストを算出するコントラスト算出処理を、照明による電子表示媒体上の画像における照度が１０〜２０００ルクスの範囲のうち互いに異なる照度となるよう複数回行い、各回に算出されたコントラストによって反射型電子表示媒体に表示された画像の視認性を評価する方法である。
なお、ここでいう画像とは、イラストや写真などの画像の他に、文字や図記号などのキャラクタを含めたものである。
【００２７】
具体的には、例えばコントラスト算出処理を３回行う場合は、図１のフローチャートに示されるように、まず、反射型電子表示媒体上に表示された画像Ｐ（Ｗ），Ｐ（Ｂ）のうちの一方、例えば画像Ｐ（Ｗ）について１０〜２０００ルクスの範囲において所望の照度Ｅ１となる状態に照明し、その分光吸収分布を測色し、得られた分光吸収分布に基づいて画像Ｐ（Ｗ）に係る反射率Ｒ（Ｅ１（Ｗ））を取得する。
次いで、画像Ｐ（Ｂ）について、画像Ｐ（Ｗ）と同じ照度Ｅ１となる状態に照明し、その分光吸収分布を測色し、得られた分光吸収分布に基づいて画像Ｐ（Ｂ）に係る反射率Ｒ（Ｅ１（Ｂ））を取得する。
その後、図２に示されるように、（画像Ｐ（Ｗ）に係る反射率Ｒ（Ｅ１（Ｗ）））／（画像Ｐ（Ｂ）に係る反射率Ｒ（Ｅ１（Ｂ）））により１回目のコントラスト算出処理に係るコントラストＣ（Ｅ１）を取得する。
さらに、当該画像Ｐ（Ｗ），Ｐ（Ｂ）について、前記照度Ｅ１と異なる照度Ｅ２となる状態に照明して同様にして各画像Ｐ（Ｗ），Ｐ（Ｂ）に係る反射率Ｒ（Ｅ２（Ｗ）），Ｒ（Ｅ２（Ｂ））を取得し、これらを用いて（画像Ｐ（Ｗ）に係る反射率Ｒ（Ｅ２（Ｗ）））／（画像Ｐ（Ｂ）に係る反射率Ｒ（Ｅ２（Ｂ）））により２回目のコントラスト算出処理に係るコントラストＣ（Ｅ２）を取得する。
またさらに、当該画像Ｐ（Ｗ），Ｐ（Ｂ）について、前記照度Ｅ１および照度Ｅ２と異なる照度Ｅ３となる状態に照明して同様にして各画像Ｐ（Ｗ），Ｐ（Ｂ）に係る反射率Ｒ（Ｅ３（Ｗ）），Ｒ（Ｅ３（Ｂ））を取得し、これらを用いて（画像Ｐ（Ｗ）に係る反射率Ｒ（Ｅ３（Ｗ）））／（画像Ｐ（Ｂ）に係る反射率Ｒ（Ｅ３（Ｂ）））により３回目のコントラスト算出処理に係るコントラストＣ（Ｅ３）を取得し、これらを用いて視認性の評価が行われる。
【００２８】
取得されたコントラストＣ（Ｅ１），Ｃ（Ｅ２），Ｃ（Ｅ３）を用いた反射型電子表示媒体の視認性の評価の具体的な方法は、特に限定されず、評価対象となる反射型電子表示媒体の使用用途などを考慮した方法とすることができる。
例えば、反射型電子表示媒体を携行して家庭およびオフィスの両方で使用する場合、家庭およびオフィスに対応する複数種類の照度環境に係るコントラストを取得し、これらの相関関係から評価する方法などを挙げることができる。
【００２９】
画像Ｐ（Ｗ），Ｐ（Ｂ）のうちの一方は、評価対象である反射型電子表示媒体によって表示することのできる最高の反射率を有する画像、または、最低の反射率を有する画像であることが好ましい。
特に、一方の画像Ｐ（Ｗ）が最高の反射率を有する画像であり、他方の画像Ｐ（Ｂ）が最低の反射率を有する画像であることが好ましい。
ここに、反射型電子表示媒体によって表示することのできる最高の反射率を有する画像とは、いわゆる白色の画像であり、反射型電子表示媒体によって表示することのできる最低の反射率を有する画像とは、グレー〜黒色の画像である。
【００３０】
また、各画像Ｐ（Ｗ），Ｐ（Ｂ）に係る反射率Ｒ（Ｅ１（Ｗ）），Ｒ（Ｅ１（Ｂ）），Ｒ（Ｅ２（Ｗ）），Ｒ（Ｅ２（Ｂ）），Ｒ（Ｅ３（Ｗ）），Ｒ（Ｅ３（Ｂ））は、図３に示されるように、それぞれに係る分光吸収分布から波長に対して積算して算出された積算反射率とされることが好ましい。
積算反射率は、分光吸収分布から、例えば可視光域などのＷｎｍ〜Ｘｎｍの波長範囲、中心波長Ｙｎｍの前後Ｚｎｍの波長範囲などの適宜の波長範囲について、所望の波長範囲毎に反射率を積分し、これらを加算することにより、取得されるものである。
【００３１】
以上のような電子表示媒体の評価方法における反射率の測色は、以下のような分光測色計を用いて行うことができる。
すなわち、分光測色計は、図４に示されるように、分光吸収分布を測色すべき反射型電子表示媒体１０に対接させるための開口１１Ａが形成された積分球１１を有し、この積分球１１の球面上に、孔が設けられてこの孔に反射型電子表示媒体１０上に表示された画像（図示せず）を照明する照明手段１２が備えられると共に、当該積分球１１の球面上の照明手段１２と反射型電子表示媒体１０について正反射の位置ではない位置に孔が設けられて、当該孔に分光吸収分布を測色する分光測色手段１３が備えられており、この分光測色手段１３に得られた分光吸収分布に基づいて前記画像の反射率を演算するデータ変換手段（図示せず）が接続されてなるものである。
そして、この分光測色計においては、照明手段１２に照度調整機構１９が設けられて反射型電子表示媒体１０上の画像における照度を調整することができる構成とされている。
【００３２】
分光測色手段１３によって分光吸収分布を測色する画像としては、反射型電子表示媒体１０上に表示された画像Ｐ（Ｗ）または画像Ｐ（Ｂ）の全領域であってもよく、また、反射型電子表示媒体１０上に表示された画像Ｐ（Ｗ）または画像Ｐ（Ｂ）の一部の領域であってもよい。
具体的には、図５に示されるように、反射型電子表示媒体１０上の領域中、分光測色手段１３に備えられた光検出センサ２３によって反射光が受光される範囲に対応する測色領域３０に表示された画像が測色されるので、測色領域３０と同じ形状の画像Ｐ（Ｗ）または画像Ｐ（Ｂ）を表示してこれを測色することにより、反射型電子表示媒体１０上に表示された画像Ｐ（Ｗ）または画像Ｐ（Ｂ）の全領域が測色され、一方、測色領域３０よりも大きな画像Ｐ（Ｗ）または画像Ｐ（Ｂ）を表示してこれの一部を測色することにより、反射型電子表示媒体１０上に表示された画像Ｐ（Ｗ）または画像Ｐ（Ｂ）の一部が測色される。
【００３３】
反射型電子表示媒体１０上に表示される画像Ｐ（Ｗ）および画像Ｐ（Ｂ）は、その反射型電子表示媒体１０を駆動するための駆動素子の解像度により異なるが、解像度として７２〜５００ｄｐｉの範囲のものであれば好適に評価することができる。
【００３４】
積分球１１は、照明手段１２から出射される光をその内壁で繰り返し拡散反射させることにより空間的に積分させ、これにより散乱光を生成するものである。
積分球１１の大きさは、特に限定されないが、当該積分球１１の開口１１Ａに入射される光が散乱光となる程度の、開口１１Ａの大きさに対して十分に大きな大きさであることが好ましい。
【００３５】
この積分球１１は、極めて反射率の高い材料よりなるものとすることができ、また、適宜の材料によって形状が形成されたものの内壁に、反射率の高いコーティング材によってコーティングされたものとすることもできる。
【００３６】
照明手段１２は、適宜の光源を備えると共に照度調整機構１９を備えるものとされている。
光源としては、例えば従来公知の種々の光源、例えばロウソク、白熱ランプ（タングステンランプ）、ハロゲンランプ、メタルハライドランプ、蛍光ランプ、ナトリウムランプ、キセノンランプ、蛍光灯、ＬＥＤなどを用いることができる。
さらに、必要に応じて光源の色温度を調整するために、波長カットフィルタを併用してもよい。
照度調整機構１９は、当該光源からの光について、反射型電子表示媒体１０上の画像に照射される光が所定の照度の光となるようにその照度を調製するものであって、例えば分光測色手段１３によって測色されるべき分光吸収分布の波長範囲の全域において照度を調整することができるＮＤ（Ｎｅｕｔｒａｌ  Ｄｅｎｓｉｔｙ：減光）フィルタよりなるものとすることができる。
具体的な照度の調整は、互いに減光の度合の異なる複数のＮＤフィルタを取り換え可能な状態に設け、さらに測色領域３０に対向して設けられた照度測定装置（図示せず）によって適時に照度を測定し、測定される照度が所望の照度になるまで照度調整機構１９によってＮＤフィルタを取り換えることにより、行うことができる。
【００３７】
また、照度調整機構１９としては、図６に示されるように、光透過率を変更することのできる光透過率変更フィルタ群２２よりなるものとすることもできる。
この光透過率変更フィルタ群２２は、図６（ｂ）に示されるように、軸２２αを中心として同心円上に複数の光学フィルタ２２Ａ〜２２Ｅが設けられてなるものであり、これらの光学フィルタ２２Ａ〜２２Ｅのうちの一つが選択されて光源からの光が透過されるよう、軸２２αを中心に回転可能に設置される。
また、この光透過率変更フィルタ群２２の代わりに、光透過率を電気的に制御することのできる電磁フィルタを用いてもよい。
なお、図６において、４０は傾斜板である。傾斜板４０は、光源からの直接光および／または光源からの反射型電子表示媒体１０を介した直接光による反射光が光検出センサ２３に入り込まないようにするためのものである。
【００３８】
このような分光測色計を用いて、以下のように反射型電子表示媒体１０上の画像Ｐ（Ｗ）の照度Ｅ１に係る反射率Ｒ（Ｅ１（Ｗ））が取得される。
すなわち、まず、照度調整機構１９によって反射型電子表示媒体１０上の画像Ｐ（Ｗ）上の照度が照度Ｅ１になるよう調整し、この状態において照明手段１２から光を出射させる。この光は、直接光として、および／または、積分球１１の内壁で拡散反射されて拡散されることにより散乱光として、反射型電子表示媒体１０の測色領域３０に入射される。この反射型電子表示媒体１０の測色領域３０に入射された光は、当該反射型電子表示媒体１０によって反射され、光検出センサ２３に入射された光について分光吸収分布が測色され、この測色された分光吸収分布のデータがデータ変換手段に送信され、当該データ変換手段において反射率に演算される。
画像Ｐ（Ｗ）の照度Ｅ２，Ｅ３に係る反射率Ｒ（Ｅ２（Ｗ）），Ｒ（Ｅ３（Ｗ））は、それぞれ照度をＥ２，Ｅ３になるよう調整することの他は同様にして、取得される。また、画像Ｐ（Ｂ）の照度Ｅ１に係る反射率Ｒ（Ｅ１（Ｂ））は、画像Ｐ（Ｂ）を表示することの他は同様にして、取得される。さらに、画像Ｐ（Ｂ）の照度Ｅ２，Ｅ３に係る反射率Ｒ（Ｅ２（Ｂ）），Ｒ（Ｅ３（Ｂ））は、それぞれ、画像Ｐ（Ｂ）を表示すると共に照度をＥ２，Ｅ３になるよう調整することの他は同様にして、取得される。
【００３９】
以上のような電子表示媒体の評価方法において、評価対象となる反射型電子表示媒体１０としては、例えば白色表示を行うことができる電子ペーパーなどを挙げることができる。
【００４０】
以上の電子表示媒体の評価方法によれば、コントラスト算出処理を、互いに異なる照度に係る照明環境について複数回行うために、広い照度範囲の照明環境における視認性を評価することができ、従って、実用に即した視認性を客観的に評価することができる。
【００４１】
以上、本発明の第１の実施の形態について具体的に説明したが、この第２の実施の形態は上記の例に限定されるものではなく、種々の変更を加えることができる。
【００４２】
〔変形例１〕
例えば、本発明の電子表示媒体の評価方法としては、コントラスト算出処理を反射型電子表示媒体上の画像における照度が１０〜２０００ルクスの範囲のうち互いに異なる照度となるよう複数回行う複数コントラスト算出処理を、分光吸収分布を測色するための反射型電子表示媒体からの反射光３１（図８参照）と当該反射型電子表示媒体とのなす角度（以下、「反射角」ともいう。）θが、１５度〜９０度の範囲のうち互いに異なる角度となるよう複数回行い、各回に算出されたコントラストによって当該反射型電子表示媒体に表示された画像の視認性を評価する方法であってもよい。
【００４３】
具体的には、例えば複数コントラスト算出処理を互いに異なる反射角θ１，θ２，θ３において３回行う場合は、図７のフローチャートに示されるように、まず、反射角θ１の状態において複数コントラスト算出処理を行うことにより、画像Ｐ（Ｗ），Ｐ（Ｂ）の照度Ｅ１，Ｅ２，Ｅ３に係る反射率Ｒ（θ１＊Ｅ１（Ｗ）），Ｒ（θ１＊Ｅ１（Ｂ）），Ｒ（θ１＊Ｅ２（Ｗ）），Ｒ（θ１＊Ｅ２（Ｂ）），Ｒ（θ１＊Ｅ３（Ｗ）），Ｒ（θ１＊Ｅ３（Ｂ））から、１回目の複数コントラスト算出処理に係るコントラストＣ（θ１＊Ｅ１），Ｃ（θ１＊Ｅ２），Ｃ（θ１＊Ｅ３）を取得する。
次いで、反射角θ１と異なる反射角θ２の状態において複数コントラスト算出処理を行うことにより、画像Ｐ（Ｗ），Ｐ（Ｂ）の照度Ｅ１，Ｅ２，Ｅ３に係る反射率Ｒ（θ２＊Ｅ１（Ｗ）），Ｒ（θ２＊Ｅ１（Ｂ）），Ｒ（θ２＊Ｅ２（Ｗ）），Ｒ（θ２＊Ｅ２（Ｂ）），Ｒ（θ２＊Ｅ３（Ｗ）），Ｒ（θ２＊Ｅ３（Ｂ））から、２回目の複数コントラスト算出処理に係るコントラストＣ（θ２＊Ｅ１），Ｃ（θ２＊Ｅ２），Ｃ（θ２＊Ｅ３）を取得する。
さらに、反射角θ１，θ２と異なる反射角θ３の状態において複数コントラスト算出処理を行うことにより、画像Ｐ（Ｗ），Ｐ（Ｂ）の照度Ｅ１，Ｅ２，Ｅ３に係る反射率Ｒ（θ３＊Ｅ１（Ｗ）），Ｒ（θ３＊Ｅ１（Ｂ）），Ｒ（θ３＊Ｅ２（Ｗ）），Ｒ（θ３＊Ｅ２（Ｂ）），Ｒ（θ３＊Ｅ３（Ｗ）），Ｒ（θ３＊Ｅ３（Ｂ））から、３回目の複数コントラスト算出処理に係るコントラストＣ（θ３＊Ｅ１），Ｃ（θ３＊Ｅ２），Ｃ（θ３＊Ｅ３）を取得する。
【００４４】
反射角θ１の状態における反射型電子表示媒体１０上の画像Ｐ（Ｗ）の照度Ｅ１に係る反射率Ｒ（θ１＊Ｅ１（Ｗ））の取得は、例えば上述の分光測色計を用いて以下のようになされる。
すなわち、まず、照度調整機構１９によって反射型電子表示媒体１０上の画像Ｐ（Ｗ）上の照度が照度Ｅ１になるよう調整し、この状態において照明手段１２から光を出射させる。この光は、直接光として、および／または、積分球１１の内壁で拡散反射されて拡散されることにより散乱光として、反射型電子表示媒体１０の測色領域３０に入射される。この反射型電子表示媒体１０の測色領域３０に入射された光は、当該反射型電子表示媒体１０によって反射され、分光測色手段１３における光検出センサ２３に入射された反射角θ１の光について分光吸収分布が測色され、この測色された分光吸収分布のデータがデータ変換手段に送信され、当該データ変換手段において反射率Ｒ（θ１＊Ｅ１（Ｗ））に演算される。
【００４５】
反射角θ１の状態における画像Ｐ（Ｗ）の照度Ｅ２，Ｅ３に係る反射率Ｒ（θ１＊Ｅ２（Ｗ）），Ｒ（θ１＊Ｅ３（Ｗ））は、それぞれ照度をＥ２，Ｅ３になるよう調整することの他は同様にして、取得される。また、反射角θ１の状態における画像Ｐ（Ｂ）の照度Ｅ１，Ｅ２，Ｅ３に係る反射率Ｒ（θ１＊Ｅ１（Ｂ）），Ｒ（θ１＊Ｅ２（Ｂ）），Ｒ（θ１＊Ｅ３（Ｂ））は、それぞれ、画像Ｐ（Ｂ）を表示すると共に照度をＥ１，Ｅ２，Ｅ３になるよう調整することの他は同様にして、取得される。
また、反射角θ２の状態における画像Ｐ（Ｗ）の照度Ｅ１，Ｅ２，Ｅ３に係る反射率Ｒ（θ２＊Ｅ１（Ｗ）），Ｒ（θ２＊Ｅ２（Ｗ）），Ｒ（θ２＊Ｅ３（Ｗ））は、それぞれ、反射角をθ２となるよう設定すると共に照度をＥ１，Ｅ２，Ｅ３になるよう調整することの他は同様にして、取得される。また、反射角θ２の状態における画像Ｐ（Ｂ）の照度Ｅ１，Ｅ２，Ｅ３に係る反射率Ｒ（θ２＊Ｅ１（Ｂ）），Ｒ（θ２＊Ｅ２（Ｂ）），Ｒ（θ２＊Ｅ３（Ｂ））は、それぞれ、反射角をθ２となるよう設定し、画像Ｐ（Ｂ）を表示すると共に照度をＥ１，Ｅ２，Ｅ３になるよう調整することの他は同様にして、取得される。
また、反射角θ３の状態における画像Ｐ（Ｗ）の照度Ｅ１，Ｅ２，Ｅ３に係る反射率Ｒ（θ３＊Ｅ１（Ｗ）），Ｒ（θ３＊Ｅ２（Ｗ）），Ｒ（θ３＊Ｅ３（Ｗ））は、それぞれ、反射角をθ３となるよう設定すると共に照度をＥ１，Ｅ２，Ｅ３になるよう調整することの他は同様にして、取得される。また、反射角θ３の状態における画像Ｐ（Ｂ）の照度Ｅ１，Ｅ２，Ｅ３に係る反射率Ｒ（θ３＊Ｅ１（Ｂ）），Ｒ（θ３＊Ｅ２（Ｂ）），Ｒ（θ３＊Ｅ３（Ｂ））は、それぞれ、反射角をθ３となるよう設定し、画像Ｐ（Ｂ）を表示すると共に照度をＥ１，Ｅ２，Ｅ３になるよう調整することの他は同様にして、取得される。
【００４６】
このような複数の異なる反射角について反射率を求める分光測色計としては、例えば、図８に示されるように、積分球１１の球面上の照明手段１２と反射型電子表示媒体１０について正反射の位置ではなく、かつ、互いに反射角が異なる複数の位置に、それぞれ分光測色器１３Ａ〜１３Ｅが備えられ、これらの分光測色器１３Ａ〜１３Ｅにより分光測色手段１３が形成され、いずれかの分光測色器１３Ａ〜１３Ｅを選択することによって、反射角θを選択することができる構成のものとすることができる。この複数の分光測色器１３Ａ〜１３Ｅは、すべて、反射型電子表示媒体１０に対向する状態に光検出センサ２３を備えると共に、データ変換手段に接続されてなるものとされている。
また、分光測色計を、図８の形態とは異なり、１つの分光測色器を反射角θが特定の複数の値（例えば、図８の各分光測色器１３Ａ〜１３Ｅに対応する各反射角θの値）、または任意の値となる位置に可動可能に備えるものとして構成してもよく、このような構成の分光測色計においては、光検出センサ２３を複数備える必要がなく、１つの光検出センサ２３によって対応することができる。
【００４７】
反射角は、１５度〜９０度の範囲とされることが好ましい。
【００４８】
取得されたコントラストＣ（θ１＊Ｅ１），Ｃ（θ１＊Ｅ２），Ｃ（θ１＊Ｅ３），Ｃ（θ２＊Ｅ１），Ｃ（θ２＊Ｅ２），Ｃ（θ２＊Ｅ３），Ｃ（θ３＊Ｅ１），Ｃ（θ３＊Ｅ２），Ｃ（θ３＊Ｅ３）を用いた反射型電子表示媒体の視認性の評価の具体的な方法は、特に限定されず、評価対象となる反射型電子表示媒体の使用用途などに合わせた方法とすることができる。
【００４９】
〔変形例２〕
また例えば、本発明の電子表示媒体の評価方法としては、上述したコントラスト算出処理を反射型電子表示媒体上の画像における照度が１０〜２０００ルクスの範囲のうち互いに異なる照度となるよう複数回行う複数コントラスト算出処理を、当該反射型電子表示媒体上の画像を照明するための光源として、互いに異なる色温度のものを用いて複数回行い、各回に算出されたコントラストによって当該反射型電子表示媒体に表示された画像の視認性を評価する方法であってもよい。
【００５０】
具体的には、例えば複数コントラスト算出処理を互いに異なる色温度Ｔ１，Ｔ２，Ｔ３の光源を用いて３回行う場合は、図９のフローチャートに示されるように、まず、色温度Ｔ１の光源を用いて複数コントラスト算出処理を行うことにより、画像Ｐ（Ｗ），Ｐ（Ｂ）の照度Ｅ１，Ｅ２，Ｅ３に係る反射率Ｒ（Ｔ１＊Ｅ１（Ｗ）），Ｒ（Ｔ１＊Ｅ１（Ｂ）），Ｒ（Ｔ１＊Ｅ２（Ｗ）），Ｒ（Ｔ１＊Ｅ２（Ｂ）），Ｒ（Ｔ１＊Ｅ３（Ｗ）），Ｒ（Ｔ１＊Ｅ３（Ｂ））から、１回目の複数コントラスト算出処理に係るコントラストＣ（Ｔ１＊Ｅ１），Ｃ（Ｔ１＊Ｅ２），Ｃ（Ｔ１＊Ｅ３）を取得する。
次いで、色温度Ｔ１の光源と異なる色温度Ｔ２の光源を用いて複数コントラスト算出処理を行うことにより、画像Ｐ（Ｗ），Ｐ（Ｂ）の照度Ｅ１，Ｅ２，Ｅ３に係る反射率Ｒ（Ｔ２＊Ｅ１（Ｗ）），Ｒ（Ｔ２＊Ｅ１（Ｂ）），Ｒ（Ｔ２＊Ｅ２（Ｗ）），Ｒ（Ｔ２＊Ｅ２（Ｂ）），Ｒ（Ｔ２＊Ｅ３（Ｗ）），Ｒ（Ｔ２＊Ｅ３（Ｂ））から、２回目の複数コントラスト算出処理に係るコントラストＣ（Ｔ２＊Ｅ１），Ｃ（Ｔ２＊Ｅ２），Ｃ（Ｔ２＊Ｅ３）を取得する。
さらに、色温度Ｔ１の光源および色温度Ｔ２の光源と異なる色温度Ｔ３の光源を用いて複数コントラスト算出処理を行うことにより、画像Ｐ（Ｗ），Ｐ（Ｂ）の照度Ｅ１，Ｅ２，Ｅ３に係る反射率Ｒ（Ｔ３＊Ｅ１（Ｗ）），Ｒ（Ｔ３＊Ｅ１（Ｂ）），Ｒ（Ｔ３＊Ｅ２（Ｗ）），Ｒ（Ｔ３＊Ｅ２（Ｂ）），Ｒ（Ｔ３＊Ｅ３（Ｗ）），Ｒ（Ｔ３＊Ｅ３（Ｂ））から、３回目の複数コントラスト算出処理に係るコントラストＣ（Ｔ３＊Ｅ１），Ｃ（Ｔ３＊Ｅ２），Ｃ（Ｔ３＊Ｅ３）を取得する。
【００５１】
色温度Ｔ１の光源を用いた反射型電子表示媒体１０上の画像Ｐ（Ｗ）の照度Ｅ１に係る反射率Ｒ（Ｔ１＊Ｅ１（Ｗ））の取得は、例えば上述の分光測色計を用いて以下のようになされる。
すなわち、まず、照度調整機構１９によって反射型電子表示媒体１０上の画像Ｐ（Ｗ）上の照度が照度Ｅ１になるよう調整し、この状態において照明手段１２において選択された、色温度Ｔ１の光源から光を出射させる。この光は、直接光として、および／または、積分球１１の内壁で拡散反射されて拡散されることにより散乱光として、反射型電子表示媒体１０の測色領域３０に入射される。この反射型電子表示媒体１０の測色領域３０に入射された光は、当該反射型電子表示媒体１０によって反射され、光検出センサ２３に入射された光について分光吸収分布が測色され、この測色された分光吸収分布のデータがデータ変換手段に送信され、当該データ変換手段において反射率Ｒ（Ｔ１＊Ｅ１（Ｗ））に演算される。
【００５２】
色温度Ｔ１の光源を用いた画像Ｐ（Ｗ）の照度Ｅ２，Ｅ３に係る反射率Ｒ（Ｔ１＊Ｅ２（Ｗ）），Ｒ（Ｔ１＊Ｅ３（Ｗ））は、それぞれ照度をＥ２，Ｅ３になるよう調整することの他は同様にして、取得される。また、色温度Ｔ１の光源を用いた画像Ｐ（Ｂ）の照度Ｅ１，Ｅ２，Ｅ３に係る反射率Ｒ（Ｔ１＊Ｅ１（Ｂ）），Ｒ（Ｔ１＊Ｅ２（Ｂ）），Ｒ（Ｔ１＊Ｅ３（Ｂ））は、それぞれ、画像Ｐ（Ｂ）を表示すると共に照度をＥ１，Ｅ２，Ｅ３になるよう調整することの他は同様にして、取得される。
また、色温度Ｔ２の光源を用いた画像Ｐ（Ｗ）の照度Ｅ１，Ｅ２，Ｅ３に係る反射率Ｒ（Ｔ２＊Ｅ１（Ｗ）），Ｒ（Ｔ２＊Ｅ２（Ｗ）），Ｒ（Ｔ２＊Ｅ３（Ｗ））は、それぞれ、光源として色温度Ｔ２の光源を用いると共に照度をＥ１，Ｅ２，Ｅ３になるよう調整することの他は同様にして、取得される。また、色温度Ｔ２の光源を用いた画像Ｐ（Ｂ）の照度Ｅ１，Ｅ２，Ｅ３に係る反射率Ｒ（Ｔ２＊Ｅ１（Ｂ）），Ｒ（Ｔ２＊Ｅ２（Ｂ）），Ｒ（Ｔ２＊Ｅ３（Ｂ））は、それぞれ、光源として色温度Ｔ２の光源を用い、画像Ｐ（Ｂ）を表示すると共に照度をＥ１，Ｅ２，Ｅ３になるよう調整することの他は同様にして、取得される。
また、色温度Ｔ３の光源を用いた画像Ｐ（Ｗ）の照度Ｅ１，Ｅ２，Ｅ３に係る反射率Ｒ（Ｔ３＊Ｅ１（Ｗ）），Ｒ（Ｔ３＊Ｅ２（Ｗ）），Ｒ（Ｔ３＊Ｅ３（Ｗ））は、それぞれ、光源として色温度Ｔ３の光源を用いると共に照度をＥ１，Ｅ２，Ｅ３になるよう調整することの他は同様にして、取得される。また、色温度Ｔ３の光源を用いた画像Ｐ（Ｂ）の照度Ｅ１，Ｅ２，Ｅ３に係る反射率Ｒ（Ｔ３＊Ｅ１（Ｂ）），Ｒ（Ｔ３＊Ｅ２（Ｂ）），Ｒ（Ｔ３＊Ｅ３（Ｂ））は、それぞれ、光源として色温度Ｔ３の光源を用い、画像Ｐ（Ｂ）を表示すると共に照度をＥ１，Ｅ２，Ｅ３になるよう調整することの他は同様にして、取得される。
【００５３】
以上の電子表示媒体の評価方法に用いられる色温度Ｔ１，Ｔ２，Ｔ３に係る光源は、すべて、色温度が１９００Ｋ〜８０００Ｋの範囲のものであることが好ましい。なお、色温度が１９００Ｋである光源は具体的には例えばロウソクや電球、白熱ランプであって、通常の照明環境のうち黄色からオレンジ色の、人が精神的に安らげる照明環境を提供することができる。
【００５４】
光源の組み合わせとしては、例えば具体的には、色温度Ｔ１に係る第１の光源を１９００Ｋ〜４０００Ｋの範囲の色温度のものとし、色温度Ｔ２に係る第２の光源を４０００Ｋ〜５５００Ｋの範囲の色温度のものとすると共に、色温度Ｔ３に係る第３の光源を５５００Ｋ〜８０００Ｋの範囲の色温度のものとすることが好ましい。
【００５５】
取得されたコントラストＣ（Ｔ１＊Ｅ１），Ｃ（Ｔ１＊Ｅ２），Ｃ（Ｔ１＊Ｅ３），Ｃ（Ｔ２＊Ｅ１），Ｃ（Ｔ２＊Ｅ２），Ｃ（Ｔ２＊Ｅ３），Ｃ（Ｔ３＊Ｅ１），Ｃ（Ｔ３＊Ｅ２），Ｃ（Ｔ３＊Ｅ３）を用いた反射型電子表示媒体の視認性の評価の具体的な方法は、特に限定されず、評価対象となる反射型電子表示媒体の使用用途などに合わせた方法とすることができる。
【００５６】
＜第２の実施の形態＞
本発明の電子表示媒体の評価方法の第２の例は、少なくとも２種の反射率の異なる画像Ｐ（Ｗ），Ｐ（Ｂ）の代わりに少なくとも２種の濃度の異なる画像を用いると共に、得られた分光吸収分布から反射率ではなく濃度を、特に好ましくは積算濃度を取得することの他は同様にして行う方法である。
評価対象である反射型電子表示媒体を書き換え可能な印刷物とみなす場合は、第１の実施の形態のように評価の指数として反射率を用いた評価方法よりも、濃度（画像濃度）を評価の指数として用いる評価方法を行うことが好ましい。
【００５７】
具体的には、この評価の指数が画像濃度である電子表示媒体の評価方法は、反射型電子表示媒体上に表示された少なくとも２種の濃度の異なる画像について、照明した状態において分光吸収分布を測色し、得られた分光吸収分布に基づいて各画像に係る濃度を演算し、演算により得られた各画像に係る濃度の比によるコントラストを算出するコントラスト算出処理を、照明による電子表示媒体上の画像における照度が１０〜２０００ルクスの範囲のうち互いに異なる照度となるよう複数回行い、各回に算出されたコントラストによって反射型電子表示媒体に表示された画像の視認性を評価する方法である。
【００５８】
より具体的には、例えばコントラスト算出処理を３回行う場合は、図１０のフローチャートに示されるように、まず、反射型電子表示媒体上に表示された画像Ｐ（Ｗ），Ｐ（Ｂ）のうちの一方、例えば画像Ｐ（Ｗ）について１０〜２０００ルクスの範囲において所望の照度Ｅ１となる状態に照明し、その分光吸収分布を測色し、得られた分光吸収分布に基づいて画像Ｐ（Ｗ）に係る濃度Ｎ（Ｅ１（Ｗ））を取得する。
次いで、画像Ｐ（Ｂ）について、画像Ｐ（Ｗ）と同じ照度Ｅ１となる状態に照明し、その分光吸収分布を測色し、得られた分光吸収分布に基づいて画像Ｐ（Ｂ）に係る濃度Ｎ（Ｅ１（Ｂ））を取得する。
その後、図１１に示されるように、（画像Ｐ（Ｗ）に係る濃度Ｎ（Ｅ１（Ｗ）））／（画像Ｐ（Ｂ）に係る濃度Ｎ（Ｅ１（Ｂ）））により１回目のコントラスト算出処理に係るコントラストＣＮ（Ｅ１）を取得する。
さらに、当該画像Ｐ（Ｗ），Ｐ（Ｂ）について、前記照度Ｅ１と異なる照度Ｅ２となる状態に照明して同様にして各画像Ｐ（Ｗ），Ｐ（Ｂ）に係る濃度Ｎ（Ｅ２（Ｗ）），Ｒ（Ｅ２（Ｂ））を取得し、これらを用いて（画像Ｐ（Ｗ）に係る濃度Ｎ（Ｅ２（Ｗ）））／（画像Ｐ（Ｂ）に係る濃度Ｎ（Ｅ２（Ｂ）））により２回目のコントラスト算出処理に係るコントラストＣＮ（Ｅ２）を取得する。
またさらに、当該画像Ｐ（Ｗ），Ｐ（Ｂ）について、前記照度Ｅ１および照度Ｅ２と異なる照度Ｅ３となる状態に照明して同様にして各画像Ｐ（Ｗ），Ｐ（Ｂ）に係る濃度Ｎ（Ｅ３（Ｗ）），Ｒ（Ｅ３（Ｂ））を取得し、これらを用いて（画像Ｐ（Ｗ）に係る濃度Ｎ（Ｅ３（Ｗ）））／（画像Ｐ（Ｂ）に係る濃度Ｎ（Ｅ３（Ｂ）））により３回目のコントラスト算出処理に係るコントラストＣＮ（Ｅ３）を取得し、これらを用いて視認性の評価が行われる。
【００５９】
取得されたコントラストＣＮ（Ｅ１），ＣＮ（Ｅ２），ＣＮ（Ｅ３）を用いた反射型電子表示媒体の視認性の評価の具体的な方法は、特に限定されず、評価対象となる反射型電子表示媒体の使用用途などを考慮した方法とすることができる。
例えば、反射型電子表示媒体を携行して家庭およびオフィスの両方で使用する場合、家庭およびオフィスに対応する複数種類の照度環境に係るコントラストを取得し、これらの相関関係から評価する方法などを挙げることができる。
【００６０】
画像Ｐ（Ｗ），Ｐ（Ｂ）のうちの一方は、評価対象である反射型電子表示媒体によって表示することのできる最高の濃度を有する画像、または、最低の濃度を有する画像であることが好ましい。
特に、一方の画像Ｐ（Ｗ）が最高の濃度を有する画像であり、他方の画像Ｐ（Ｂ）が最低の濃度を有する画像であることが好ましい。
ここに、反射型電子表示媒体によって表示することのできる最高の濃度を有する画像とは、いわゆるグレー〜黒色の画像であり、反射型電子表示媒体によって表示することのできる最低の濃度を有する画像とは、白色の画像である。
【００６１】
また、各画像Ｐ（Ｗ），Ｐ（Ｂ）に係る濃度Ｎ（Ｅ１（Ｗ）），Ｎ（Ｅ１（Ｂ）），Ｎ（Ｅ２（Ｗ）），Ｎ（Ｅ２（Ｂ）），Ｎ（Ｅ３（Ｗ）），Ｎ（Ｅ３（Ｂ））は、図１２に示されるように、それぞれに係る分光吸収分布から波長に対して積算して算出された積算濃度とされることが好ましい。
積算濃度は、分光吸収分布から、例えば可視光域などのＷｎｍ〜Ｘｎｍの波長範囲、中心波長Ｙｎｍの前後Ｚｎｍの波長範囲などの適宜の波長範囲について、所望の波長範囲毎に濃度を積分し、これらを加算することにより、取得されるものである。
【００６２】
反射型電子表示媒体１０上の画像Ｐ（Ｗ）の照度Ｅ１に係る濃度Ｎ（Ｅ１（Ｗ））の取得は、例えば上述の分光測色計を用いて以下のようになされる。
すなわち、まず、照度調整機構１９によって反射型電子表示媒体１０上の画像Ｐ（Ｗ）上の照度が照度Ｅ１になるよう調整し、この状態において照明手段１２から光を出射させる。この光は、直接光として、および／または、積分球１１の内壁で拡散反射されて拡散されることにより散乱光として、反射型電子表示媒体１０の測色領域３０に入射される。この反射型電子表示媒体１０の測色領域３０に入射された光は、当該反射型電子表示媒体１０によって反射され、光検出センサ２３に入射された光について分光吸収分布が測色され、この測色された分光吸収分布のデータがデータ変換手段に送信され、当該データ変換手段において濃度に演算される。
画像Ｐ（Ｗ）の照度Ｅ２，Ｅ３に係る濃度Ｎ（Ｅ２（Ｗ）），Ｎ（Ｅ３（Ｗ））は、それぞれ照度をＥ２，Ｅ３になるよう調整することの他は同様にして、取得される。また、画像Ｐ（Ｂ）の照度Ｅ１に係る濃度Ｎ（Ｅ１（Ｂ））は、画像Ｐ（Ｂ）を表示することの他は同様にして、取得される。さらに、画像Ｐ（Ｂ）の照度Ｅ２，Ｅ３に係る濃度Ｎ（Ｅ２（Ｂ）），Ｎ（Ｅ３（Ｂ））は、それぞれ、画像Ｐ（Ｂ）を表示すると共に照度をＥ２，Ｅ３になるよう調整することの他は同様にして、取得される。
【００６３】
以上、本発明の第２の実施の形態について具体的に説明したが、この第２の実施の形態は上記の例に限定されるものではなく、種々の変更を加えることができる。
【００６４】
〔変形例１〕
例えば、この評価の指数が画像濃度である電子表示媒体の評価方法としては、コントラスト算出処理を反射型電子表示媒体上の画像における照度が１０〜２０００ルクスの範囲のうち互いに異なる照度となるよう複数回行う複数コントラスト算出処理を、反射角θが、１５度〜９０度の範囲のうち互いに異なる角度となるよう複数回行い、各回に算出されたコントラストによって当該反射型電子表示媒体に表示された画像の視認性を評価する方法であってもよい。
【００６５】
具体的には、例えば複数コントラスト算出処理を互いに異なる反射角θ１，θ２，θ３において３回行う場合は、図１３のフローチャートに示されるように、まず、反射角θ１の状態において複数コントラスト算出処理を行うことにより、画像Ｐ（Ｗ），Ｐ（Ｂ）の照度Ｅ１，Ｅ２，Ｅ３に係る濃度Ｎ（θ１＊Ｅ１（Ｗ）），Ｎ（θ１＊Ｅ１（Ｂ）），Ｎ（θ１＊Ｅ２（Ｗ）），Ｎ（θ１＊Ｅ２（Ｂ）），Ｎ（θ１＊Ｅ３（Ｗ）），Ｎ（θ１＊Ｅ３（Ｂ））から、１回目の複数コントラスト算出処理に係るコントラストＣＮ（θ１＊Ｅ１），ＣＮ（θ１＊Ｅ２），ＣＮ（θ１＊Ｅ３）を取得する。
次いで、反射角θ１と異なる反射角θ２の状態において複数コントラスト算出処理を行うことにより、画像Ｐ（Ｗ），Ｐ（Ｂ）の照度Ｅ１，Ｅ２，Ｅ３に係る濃度Ｎ（θ２＊Ｅ１（Ｗ）），Ｎ（θ２＊Ｅ１（Ｂ）），Ｎ（θ２＊Ｅ２（Ｗ）），Ｎ（θ２＊Ｅ２（Ｂ）），Ｎ（θ２＊Ｅ３（Ｗ）），Ｎ（θ２＊Ｅ３（Ｂ））から、２回目の複数コントラスト算出処理に係るコントラストＣＮ（θ２＊Ｅ１），ＣＮ（θ２＊Ｅ２），ＣＮ（θ２＊Ｅ３）を取得する。
さらに、反射角θ１，θ２と異なる反射角θ３の状態において複数コントラスト算出処理を行うことにより、画像Ｐ（Ｗ），Ｐ（Ｂ）の照度Ｅ１，Ｅ２，Ｅ３に係る濃度Ｎ（θ３＊Ｅ１（Ｗ）），Ｎ（θ３＊Ｅ１（Ｂ）），Ｎ（θ３＊Ｅ２（Ｗ）），Ｎ（θ３＊Ｅ２（Ｂ）），Ｎ（θ３＊Ｅ３（Ｗ）），Ｎ（θ３＊Ｅ３（Ｂ））から、３回目の複数コントラスト算出処理に係るコントラストＣＮ（θ３＊Ｅ１），ＣＮ（θ３＊Ｅ２），ＣＮ（θ３＊Ｅ３）を取得する。
【００６６】
反射角θ１の状態における反射型電子表示媒体１０上の画像Ｐ（Ｗ）の照度Ｅ１に係る濃度Ｎ（θ１＊Ｅ１（Ｗ））の取得は、例えば上述の分光測色計を用いて以下のようになされる。
すなわち、まず、照度調整機構１９によって反射型電子表示媒体１０上の画像Ｐ（Ｗ）上の照度が照度Ｅ１になるよう調整し、この状態において照明手段１２から光を出射させる。この光は、直接光として、および／または、積分球１１の内壁で拡散反射されて拡散されることにより散乱光として、反射型電子表示媒体１０の測色領域３０に入射される。この反射型電子表示媒体１０の測色領域３０に入射された光は、当該反射型電子表示媒体１０によって反射され、分光測色手段１３における光検出センサ２３に入射された反射角θ１の光について分光吸収分布が測色され、この測色された分光吸収分布のデータがデータ変換手段に送信され、当該データ変換手段において濃度Ｎ（θ１＊Ｅ１（Ｗ））に演算される。
【００６７】
反射角θ１の状態における画像Ｐ（Ｗ）の照度Ｅ２，Ｅ３に係る濃度Ｎ（θ１＊Ｅ２（Ｗ）），Ｎ（θ１＊Ｅ３（Ｗ））は、それぞれ照度をＥ２，Ｅ３になるよう調整することの他は同様にして、取得される。また、反射角θ１の状態における画像Ｐ（Ｂ）の照度Ｅ１，Ｅ２，Ｅ３に係る濃度Ｎ（θ１＊Ｅ１（Ｂ）），Ｎ（θ１＊Ｅ２（Ｂ）），Ｎ（θ１＊Ｅ３（Ｂ））は、それぞれ、画像Ｐ（Ｂ）を表示すると共に照度をＥ１，Ｅ２，Ｅ３になるよう調整することの他は同様にして、取得される。
また、反射角θ２の状態における画像Ｐ（Ｗ）の照度Ｅ１，Ｅ２，Ｅ３に係る濃度Ｎ（θ２＊Ｅ１（Ｗ）），Ｎ（θ２＊Ｅ２（Ｗ）），Ｎ（θ２＊Ｅ３（Ｗ））は、それぞれ、反射角をθ２となるよう設定すると共に照度をＥ１，Ｅ２，Ｅ３になるよう調整することの他は同様にして、取得される。また、反射角θ２の状態における画像Ｐ（Ｂ）の照度Ｅ１，Ｅ２，Ｅ３に係る濃度Ｎ（θ２＊Ｅ１（Ｂ）），Ｎ（θ２＊Ｅ２（Ｂ）），Ｎ（θ２＊Ｅ３（Ｂ））は、それぞれ、反射角をθ２となるよう設定し、画像Ｐ（Ｂ）を表示すると共に照度をＥ１，Ｅ２，Ｅ３になるよう調整することの他は同様にして、取得される。
また、反射角θ３の状態における画像Ｐ（Ｗ）の照度Ｅ１，Ｅ２，Ｅ３に係る濃度Ｎ（θ３＊Ｅ１（Ｗ）），Ｎ（θ３＊Ｅ２（Ｗ）），Ｎ（θ３＊Ｅ３（Ｗ））は、それぞれ、反射角をθ３となるよう設定すると共に照度をＥ１，Ｅ２，Ｅ３になるよう調整することの他は同様にして、取得される。また、反射角θ３の状態における画像Ｐ（Ｂ）の照度Ｅ１，Ｅ２，Ｅ３に係る濃度Ｎ（θ３＊Ｅ１（Ｂ）），Ｎ（θ３＊Ｅ２（Ｂ）），Ｎ（θ３＊Ｅ３（Ｂ））は、それぞれ、反射角をθ３となるよう設定し、画像Ｐ（Ｂ）を表示すると共に照度をＥ１，Ｅ２，Ｅ３になるよう調整することの他は同様にして、取得される。
【００６８】
取得されたコントラストＣＮ（θ１＊Ｅ１），ＣＮ（θ１＊Ｅ２），ＣＮ（θ１＊Ｅ３），ＣＮ（θ２＊Ｅ１），ＣＮ（θ２＊Ｅ２），ＣＮ（θ２＊Ｅ３），ＣＮ（θ３＊Ｅ１），ＣＮ（θ３＊Ｅ２），ＣＮ（θ３＊Ｅ３）を用いた反射型電子表示媒体の視認性の評価の具体的な方法は、特に限定されず、評価対象となる反射型電子表示媒体の使用用途などに合わせた方法とすることができる。
【００６９】
〔変形例２〕
また例えば、この評価の指数が画像濃度である電子表示媒体の評価方法としては、上述したコントラスト算出処理を反射型電子表示媒体上の画像における照度が１０〜２０００ルクスの範囲のうち互いに異なる照度となるよう複数回行う複数コントラスト算出処理を、当該反射型電子表示媒体上の画像を照明するための光源として、互いに異なる色温度のものを用いて複数回行い、各回に算出されたコントラストによって当該反射型電子表示媒体に表示された画像の視認性を評価する方法であってもよい。
【００７０】
具体的には、例えば複数コントラスト算出処理を互いに異なる色温度Ｔ１，Ｔ２，Ｔ３の光源を用いて３回行う場合は、図１４のフローチャートに示されるように、まず、色温度Ｔ１の光源を用いて複数コントラスト算出処理を行うことにより、画像Ｐ（Ｗ），Ｐ（Ｂ）の照度Ｅ１，Ｅ２，Ｅ３に係る濃度Ｎ（Ｔ１＊Ｅ１（Ｗ）），Ｎ（Ｔ１＊Ｅ１（Ｂ）），Ｎ（Ｔ１＊Ｅ２（Ｗ）），Ｎ（Ｔ１＊Ｅ２（Ｂ）），Ｎ（Ｔ１＊Ｅ３（Ｗ）），Ｎ（Ｔ１＊Ｅ３（Ｂ））から、１回目の複数コントラスト算出処理に係るコントラストＣＮ（Ｔ１＊Ｅ１），ＣＮ（Ｔ１＊Ｅ２），ＣＮ（Ｔ１＊Ｅ３）を取得する。
次いで、色温度Ｔ１の光源と異なる色温度Ｔ２の光源を用いて複数コントラスト算出処理を行うことにより、画像Ｐ（Ｗ），Ｐ（Ｂ）の照度Ｅ１，Ｅ２，Ｅ３に係る濃度Ｎ（Ｔ２＊Ｅ１（Ｗ）），Ｎ（Ｔ２＊Ｅ１（Ｂ）），Ｎ（Ｔ２＊Ｅ２（Ｗ）），Ｎ（Ｔ２＊Ｅ２（Ｂ）），Ｎ（Ｔ２＊Ｅ３（Ｗ）），Ｎ（Ｔ２＊Ｅ３（Ｂ））から、２回目の複数コントラスト算出処理に係るコントラストＣＮ（Ｔ２＊Ｅ１），ＣＮ（Ｔ２＊Ｅ２），ＣＮ（Ｔ２＊Ｅ３）を取得する。
さらに、色温度Ｔ１の光源および色温度Ｔ２の光源と異なる色温度Ｔ３の光源を用いて複数コントラスト算出処理を行うことにより、画像Ｐ（Ｗ），Ｐ（Ｂ）の照度Ｅ１，Ｅ２，Ｅ３に係る濃度Ｎ（Ｔ３＊Ｅ１（Ｗ）），Ｎ（Ｔ３＊Ｅ１（Ｂ）），Ｎ（Ｔ３＊Ｅ２（Ｗ）），Ｎ（Ｔ３＊Ｅ２（Ｂ）），Ｎ（Ｔ３＊Ｅ３（Ｗ）），Ｎ（Ｔ３＊Ｅ３（Ｂ））から、３回目の複数コントラスト算出処理に係るコントラストＣＮ（Ｔ３＊Ｅ１），ＣＮ（Ｔ３＊Ｅ２），ＣＮ（Ｔ３＊Ｅ３）を取得する。
【００７１】
色温度Ｔ１の光源を用いた反射型電子表示媒体１０上の画像Ｐ（Ｗ）の照度Ｅ１に係る濃度Ｎ（Ｔ１＊Ｅ１（Ｗ））の取得は、例えば上述の分光測色計を用いて以下のようになされる。
すなわち、まず、照度調整機構１９によって反射型電子表示媒体１０上の画像Ｐ（Ｗ）上の照度が照度Ｅ１になるよう調整し、この状態において照明手段１２において選択された、色温度Ｔ１の光源から光を出射させる。この光は、直接光として、および／または、積分球１１の内壁で拡散反射されて拡散されることにより散乱光として、反射型電子表示媒体１０の測色領域３０に入射される。この反射型電子表示媒体１０の測色領域３０に入射された光は、当該反射型電子表示媒体１０によって反射され、光検出センサ２３に入射された光について分光吸収分布が測色され、この測色された分光吸収分布のデータがデータ変換手段に送信され、当該データ変換手段において濃度Ｎ（Ｔ１＊Ｅ１（Ｗ））に演算される。
【００７２】
色温度Ｔ１の光源を用いた画像Ｐ（Ｗ）の照度Ｅ２，Ｅ３に係る濃度Ｎ（Ｔ１＊Ｅ２（Ｗ）），Ｎ（Ｔ１＊Ｅ３（Ｗ））は、それぞれ照度をＥ２，Ｅ３になるよう調整することの他は同様にして、取得される。また、色温度Ｔ１の光源を用いた画像Ｐ（Ｂ）の照度Ｅ１，Ｅ２，Ｅ３に係る濃度Ｎ（Ｔ１＊Ｅ１（Ｂ）），Ｎ（Ｔ１＊Ｅ２（Ｂ）），Ｎ（Ｔ１＊Ｅ３（Ｂ））は、それぞれ、画像Ｐ（Ｂ）を表示すると共に照度をＥ１，Ｅ２，Ｅ３になるよう調整することの他は同様にして、取得される。
また、色温度Ｔ２の光源を用いた画像Ｐ（Ｗ）の照度Ｅ１，Ｅ２，Ｅ３に係る濃度Ｎ（Ｔ２＊Ｅ１（Ｗ）），Ｎ（Ｔ２＊Ｅ２（Ｗ）），Ｎ（Ｔ２＊Ｅ３（Ｗ））は、それぞれ、光源として色温度Ｔ２の光源を用いると共に照度をＥ１，Ｅ２，Ｅ３になるよう調整することの他は同様にして、取得される。また、色温度Ｔ２の光源を用いた画像Ｐ（Ｂ）の照度Ｅ１，Ｅ２，Ｅ３に係る濃度Ｎ（Ｔ２＊Ｅ１（Ｂ）），Ｎ（Ｔ２＊Ｅ２（Ｂ）），Ｎ（Ｔ２＊Ｅ３（Ｂ））は、それぞれ、光源として色温度Ｔ２の光源を用い、画像Ｐ（Ｂ）を表示すると共に照度をＥ１，Ｅ２，Ｅ３になるよう調整することの他は同様にして、取得される。
また、色温度Ｔ３の光源を用いた画像Ｐ（Ｗ）の照度Ｅ１，Ｅ２，Ｅ３に係る濃度Ｎ（Ｔ３＊Ｅ１（Ｗ）），Ｎ（Ｔ３＊Ｅ２（Ｗ）），Ｎ（Ｔ３＊Ｅ３（Ｗ））は、それぞれ、光源として色温度Ｔ３の光源を用いると共に照度をＥ１，Ｅ２，Ｅ３になるよう調整することの他は同様にして、取得される。また、色温度Ｔ３の光源を用いた画像Ｐ（Ｂ）の照度Ｅ１，Ｅ２，Ｅ３に係る濃度Ｎ（Ｔ３＊Ｅ１（Ｂ）），Ｎ（Ｔ３＊Ｅ２（Ｂ）），Ｎ（Ｔ３＊Ｅ３（Ｂ））は、それぞれ、光源として色温度Ｔ３の光源を用い、画像Ｐ（Ｂ）を表示すると共に照度をＥ１，Ｅ２，Ｅ３になるよう調整することの他は同様にして、取得される。
【００７３】
取得されたコントラストＣＮ（Ｔ１＊Ｅ１），ＣＮ（Ｔ１＊Ｅ２），ＣＮ（Ｔ１＊Ｅ３），ＣＮ（Ｔ２＊Ｅ１），ＣＮ（Ｔ２＊Ｅ２），ＣＮ（Ｔ２＊Ｅ３），ＣＮ（Ｔ３＊Ｅ１），ＣＮ（Ｔ３＊Ｅ２），ＣＮ（Ｔ３＊Ｅ３）を用いた反射型電子表示媒体の視認性の評価の具体的な方法は、特に限定されず、評価対象となる反射型電子表示媒体の使用用途などに合わせた方法とすることができる。
【００７４】
このような電子表示媒体の評価方法によれば、第１の実施の形態に係る効果と同じ効果を得ることができる。
【符号の説明】
【００７５】
１０  反射型電子表示媒体
１１  積分球
１１Ａ  開口
１２  照明手段
１３  分光測色手段
１３Ａ〜１３Ｅ  分光測色器
１９  照度調整機構
２２  光透過率変更フィルタ群
２２Ａ〜２２Ｅ  光学フィルタ
２２α  軸
２３  光検出センサ
３０  測色領域
３１  反射光
４０  傾斜板
【図１】
2010261848.tif 000003
【図２】
2010261848.tif 000004
【図３】
2010261848.tif 000005
【図７】
2010261848.tif 000006
【図９】
2010261848.tif 000007
【図１０】
2010261848.tif 000008
【図１１】
2010261848.tif 000009
【図１２】
2010261848.tif 000010
【図１３】
2010261848.tif 000011
【図１４】
2010261848.tif 000012
【図４】
2010261848.tif 000013
【図５】
2010261848.tif 000014
【図６】
2010261848.tif 000015
【図８】
2010261848.tif 000016